(57)【要約】【課題】ＩＥＥＥ１３９４シリアルバスに接続されるセットトップボックス（ＳＴＢ）等のコントローラ機器において、削除したい番組ファイルが格納されているハードディスクを探す処理や、削除したい番組ファイルを一つずつ選択する処理を不要にして、削除を行う際の操作性の向上を図る。【解決手段】ユーザが、ジャンルのドラマを選択すると（Ｓ１）、ＳＴＢ側のマイクロプロセッサは、選択されたテーマと同じテーマを有する番組ファイルを、ＳＴＢに接続されている全てのＡＶＨＤＤから検索をして（Ｓ３）、同一のテーマを持つ番組ファイルが見つかった場合には（Ｓ４でＹＥＳ）、これらの番組ファイルのリストを作成する。そして、ＳＴＢ１側のマイクロプロセッサ１１は、削除を行う番組ファイルを各ＡＶＨＤＤから検索して（Ｓ８）、当該番組ファイルの削除を行い（Ｓ９）、削除を行う番組ファイルがなくなった場合（Ｓ１０でＹＥＳ）、当処理を終える。【選択図】図３
2007053701.tif 000002
【特許請求の範囲】
【請求項１】
ＩＥＥＥ１３９４用の制御コマンドによって録画、再生、及び削除を行うことが可能なハードディスクレコーダとＩＥＥＥ１３９４シリアルバスを介して接続され、
前記ＩＥＥＥ１３９４シリアルバスを介して接続されているハードディスクレコーダの台数は、２以上であり、
前記ハードディスクレコーダとの間でＩＥＥＥ１３９４用の制御コマンドとその応答信号の送受信、及びストリームデータの送受信を行うためのＩＥＥＥ１３９４インタフェースと、
前記ＩＥＥＥ１３９４シリアルバスを介して接続されている全てのハードディスクレコーダに格納されている番組ファイルの中から、削除する番組ファイルを選択するための選択手段と、
前記選択手段を用いてユーザにより番組ファイルが選択されたときに、選択された番組ファイルをこれらの番組ファイルが格納されているハードディスクレコーダから削除するように要求するための制御コマンドを、該当のハードディスクレコーダに送信するように制御する削除制御手段とを備えたＩＥＥＥ１３９４シリアルバスに接続されるセットトップボックスにおいて、
前記選択手段は、削除する番組ファイルのテーマ又は／及び削除の有無を選択するために用いられ、
前記全てのハードディスクレコーダに格納されている番組ファイルの中から、前記選択手段を用いてユーザにより選択されたテーマを有する番組ファイルを検索する検索手段と、
前記検索手段による検索の結果、選択されたテーマを有する番組ファイルが見つかったときに、この検索結果から、選択されたテーマを有する番組ファイルのリストを作成するリスト作成手段と、
前記リスト作成手段により作成されたリスト中の各番組ファイルから、これらの番組ファイルが視聴済みか否か判断する視聴判断手段とをさらに備え、
前記削除制御手段は、前記選択手段を用いてユーザにより削除する番組ファイルのテーマが選択されたときに、選択されたテーマを有する番組ファイルを、前記検索手段を用いて前記全てのハードディスクレコーダから読み込み、この読み込んだ番組ファイルのデータから前記リスト作成手段を用いてリストを作成し、このリスト中の各番組ファイルを、前記視聴判断手段を用いて視聴済みか否か判断し、この判断結果を反映した番組ファイルのリストを表示手段に表示して、視聴済みの場合及び未視聴でもユーザにより前記選択手段を用いて削除が選択された場合、該当の番組ファイルを各ハードディスクレコーダから削除するように制御することを特徴とするＩＥＥＥ１３９４シリアルバスに接続されるセットトップボックス。
【請求項２】
ＩＥＥＥ１３９４用の制御コマンドによって録画、再生、及び削除を行うことが可能なハードディスクレコーダとＩＥＥＥ１３９４シリアルバスを介して接続され、
前記ＩＥＥＥ１３９４シリアルバスを介して接続されているハードディスクレコーダの台数は、２以上であり、
前記ハードディスクレコーダとの間でＩＥＥＥ１３９４用の制御コマンドとその応答信号の送受信、及びストリームデータの送受信を行うためのＩＥＥＥ１３９４インタフェースと、
前記ＩＥＥＥ１３９４シリアルバスを介して接続されている全てのハードディスクレコーダに格納されている番組ファイルの中から、削除する番組ファイルを選択するための選択手段と、
前記選択手段を用いてユーザにより番組ファイルが選択されたときに、選択された番組ファイルをこれらの番組ファイルが格納されている各ハードディスクレコーダから削除するように要求するための制御コマンドを、該当のハードディスクに送信するように制御する削除制御手段とを備えたＩＥＥＥ１３９４シリアルバスに接続されるコントローラ機器において、
前記選択手段は、削除する番組ファイルのテーマを選択するために用いられ、
前記全てのハードディスクレコーダに格納されている番組ファイルの中から、前記選択手段を用いてユーザにより選択されたテーマを有する番組ファイルを検索する検索手段と、
前記検索手段による検索の結果、選択されたテーマを有する番組ファイルが見つかったときに、この検索結果から、選択されたテーマを有する番組ファイルのリストを作成するリスト作成手段とをさらに備え、
前記削除制御手段は、前記選択手段を用いてユーザにより削除する番組ファイルのテーマが選択されたときに、選択されたテーマを有する番組ファイルを、前記検索手段を用いて前記全てのハードディスクレコーダから読み込み、この読み込んだ番組及び番組ファイルのデータから前記リスト作成手段を用いてリストを作成し、このリスト中の各番組ファイルを、これらの番組ファイルが格納されている各ハードディスクレコーダから削除するように制御することを特徴とするＩＥＥＥ１３９４シリアルバスに接続されるコントローラ機器。
【請求項３】
前記選択手段は、前記リスト作成手段により作成されたリスト中の各番組ファイルの削除の有無を選択するために用いられ、
前記リスト作成手段により作成されたリスト中の各番組ファイルから、これらの番組ファイルが視聴済みか否か判断する視聴判断手段とをさらに備え、
前記削除制御手段は、前記リスト作成手段を用いて作成した前記リスト中の各番組ファイルを、前記視聴判断手段を用いて視聴済みか否か判断し、この判断結果を反映した番組ファイルのリストを表示手段に表示して、視聴済みの場合及び未視聴でもユーザにより前記選択手段を用いて削除が選択された場合、該当の番組ファイルを各ハードディスクレコーダから削除するように制御することを特徴とする請求項２に記載のＩＥＥＥ１３９４シリアルバスに接続されるコントローラ機器。
【発明の詳細な説明】
【技術分野】
【０００１】
本発明は、ＩＥＥＥ１３９４シリアルバスに接続されるセットトップボックス、及びＩＥＥＥ１３９４シリアルバスに接続されるコントローラ機器に関する。
【背景技術】
【０００２】
近年、セットトップボックスやディジタルテレビジョン受像機等のコントローラ機器とＩＥＥＥ１３９４シリアルバスケーブルを介して接続されて、ＩＥＥＥ１３９４用の制御コマンドによってのみ録画や再生を行うことが可能なハードディスクレコーダ（いわゆるＡＶＨＤＤ）が増えてきた。この種のハードディスクレコーダにおいて録画した番組ファイルを削除する場合、通常、ユーザはコントローラ機器を用いて、全てのハードディスクに録画されている録画番組リストを表示させ、この録画番組リストから削除したい番組ファイルを一つずつ検索して、削除の処理の実行を指示する。そのため、上記のような従来の番組ファイルの削除処理では、削除したい番組ファイルの数に比例して削除を行うのに要するユーザの手間が大きくなるという問題がある。
【０００３】
これに対して、シリーズコンテンツの録画／再生時にユーザが操作をする手間を減らすため、シリーズ番組にシリーズ管理テーブルを用いることにより、シリーズ番組におけるユーザへの情報提示、録画方法、再生方法などの管理を行うコンテンツ録画再生管理方法が知られている（例えば、特許文献１参照）。しかし、このコンテンツ録画再生管理方法では、シリーズコンテンツではない番組ファイルを削除する場合、ユーザは、従来と同様に、削除したい番組の数だけ、番組ファイルを検索し、削除の処理の実行を指示しなければならず、上記問題を解決できない。
【０００４】
ところで、オーディオファイルにタグとして含まれる文字情報を利用することにより、オーディオファイルに格納された楽曲のジャンル、アーティスト名、又はその他の楽曲自体の属性を考慮した検索を行うと共に、検索した複数のオーディオファイルの全てを削除することができるオーディオ再生装置が知られている（例えば、特許文献２参照）。また、複数のコンテンツ情報に対応する複数のライブラリ情報を含むライブラリ情報ファイルが記憶された記憶媒体を備え、この記憶媒体に格納されたライブラリ情報を効率良く整理することが可能な情報記憶再生装置が知られている（例えば、特許文献３参照）。しかし、上記特許文献２及び３に記載された発明では、上記問題を解決できない。
【特許文献１】特開２００４−３４３５２０号公報
【特許文献２】特開２００４−２２７２８５号公報
【特許文献３】特開２００４−１２７４１１号公報
【発明の開示】
【発明が解決しようとする課題】
【０００５】
本発明は、上記の問題を解決するためになされたものであり、ハードディスクに格納されている複数の番組ファイルを削除するときに、ユーザが、削除したい番組ファイルが格納されているハードディスクを探す処理や、削除したい番組ファイルを一つずつ選択する処理を不要にして、番組ファイルの削除を行う際の操作性の向上を図ることができるＩＥＥＥ１３９４シリアルバスに接続されるセットトップボックス、及びＩＥＥＥ１３９４シリアルバスに接続されるコントローラ機器を提供することを目的とする。
【課題を解決するための手段】
【０００６】
上記目的を達成するために請求項１の発明は、ＩＥＥＥ１３９４用の制御コマンドによって録画、再生、及び削除を行うことが可能なハードディスクレコーダとＩＥＥＥ１３９４シリアルバスを介して接続され、前記ＩＥＥＥ１３９４シリアルバスを介して接続されているハードディスクレコーダの台数は、２以上であり、前記ハードディスクレコーダとの間でＩＥＥＥ１３９４用の制御コマンドとその応答信号の送受信、及びストリームデータの送受信を行うためのＩＥＥＥ１３９４インタフェースと、前記ＩＥＥＥ１３９４シリアルバスを介して接続されている全てのハードディスクレコーダに格納されている番組ファイルの中から、削除する番組ファイルを選択するための選択手段と、前記選択手段を用いてユーザにより番組ファイルが選択されたときに、選択された番組ファイルをこれらの番組ファイルが格納されているハードディスクレコーダから削除するように要求するための制御コマンドを、該当のハードディスクレコーダに送信するように制御する削除制御手段とを備えたＩＥＥＥ１３９４シリアルバスに接続されるセットトップボックスにおいて、前記選択手段は、削除する番組ファイルのテーマ又は／及び削除の有無を選択するために用いられ、前記全てのハードディスクレコーダに格納されている番組ファイルの中から、前記選択手段を用いてユーザにより選択されたテーマを有する番組ファイルを検索する検索手段と、前記検索手段による検索の結果、選択されたテーマを有する番組ファイルが見つかったときに、この検索結果から、選択されたテーマを有する番組ファイルのリストを作成するリスト作成手段と、前記リスト作成手段により作成されたリスト中の各番組ファイルから、これらの番組ファイルが視聴済みか否か判断する視聴判断手段とをさらに備え、前記削除制御手段は、前記選択手段を用いてユーザにより削除する番組ファイルのテーマが選択されたときに、選択されたテーマを有する番組ファイルを、前記検索手段を用いて前記全てのハードディスクレコーダから読み込み、この読み込んだ番組ファイルのデータから前記リスト作成手段を用いてリストを作成し、このリスト中の各番組ファイルを、前記視聴判断手段を用いて視聴済みか否か判断し、この判断結果を反映した番組ファイルのリストを表示手段に表示して、視聴済みの場合及び未視聴でもユーザにより前記選択手段を用いて削除が選択された場合、該当の番組ファイルを各ハードディスクレコーダから削除するように制御することを特徴とするＩＥＥＥ１３９４シリアルバスに接続されるものである。
【０００７】
請求項２の発明は、ＩＥＥＥ１３９４用の制御コマンドによって録画、再生、及び削除を行うことが可能なハードディスクレコーダとＩＥＥＥ１３９４シリアルバスを介して接続され、前記ＩＥＥＥ１３９４シリアルバスを介して接続されているハードディスクレコーダの台数は、２以上であり、前記ハードディスクレコーダとの間でＩＥＥＥ１３９４用の制御コマンドとその応答信号の送受信、及びストリームデータの送受信を行うためのＩＥＥＥ１３９４インタフェースと、前記ＩＥＥＥ１３９４シリアルバスを介して接続されている全てのハードディスクレコーダに格納されている番組ファイルの中から、削除する番組ファイルを選択するための選択手段と、前記選択手段を用いてユーザにより番組ファイルが選択されたときに、選択された番組ファイルをこれらの番組ファイルが格納されている各ハードディスクレコーダから削除するように要求するための制御コマンドを、該当のハードディスクに送信するように制御する削除制御手段とを備えたＩＥＥＥ１３９４シリアルバスに接続されるコントローラ機器において、前記選択手段は、削除する番組ファイルのテーマを選択するために用いられ、前記全てのハードディスクレコーダに格納されている番組ファイルの中から、前記選択手段を用いてユーザにより選択されたテーマを有する番組ファイルを検索する検索手段と、前記検索手段による検索の結果、選択されたテーマを有する番組ファイルが見つかったときに、この検索結果から、選択されたテーマを有する番組ファイルのリストを作成するリスト作成手段とをさらに備え、前記削除制御手段は、前記選択手段を用いてユーザにより削除する番組ファイルのテーマが選択されたときに、選択されたテーマを有する番組ファイルを、前記検索手段を用いて前記全てのハードディスクレコーダから読み込み、この読み込んだ番組及び番組ファイルのデータから前記リスト作成手段を用いてリストを作成し、このリスト中の各番組ファイルを、これらの番組ファイルが格納されている各ハードディスクレコーダから削除するように制御することを特徴とするＩＥＥＥ１３９４シリアルバスに接続されるものである。
【０００８】
請求項３の発明は、請求項２に記載のＩＥＥＥ１８９４シリアルバスに接続されるセットトップボックス、及びＩＥＥＥ１３９４シリアルバスに接続されるコントローラ機器において、前記選択手段は、前記リスト作成手段により作成されたリスト中の各番組ファイルの削除の有無を選択するために用いられ、前記リスト作成手段により作成されたリスト中の各番組ファイルから、これらの番組ファイルが視聴済みか否か判断する視聴判断手段とをさらに備え、前記削除制御手段は、前記リスト作成手段を用いて作成した前記リスト中の各番組ファイルを、前記視聴判断手段を用いて視聴済みか否か判断し、この判断結果を反映した番組ファイルのリストを表示手段に表示して、視聴済みの場合及び未視聴でもユーザにより前記選択手段を用いて削除が選択された場合、該当の番組ファイルを各ハードディスクレコーダから削除するように制御するものである。
【発明の効果】
【０００９】
請求項１の発明によれば、ユーザが、選択手段を用いて、削除する番組ファイルのテーマ又は／及び削除の有無を選択すると、選択されたテーマを有する番組ファイルが、全てのハードディスクレコーダから読み込まれ、読み込まれた番組ファイルのデータからリストが作成されて、このリスト中の各番組ファイルが視聴済みか否かの判断結果を反映した番組ファイルのリストが表示手段に表示される。そして、ユーザが、この表示手段に表示された各番組ファイルについて、視聴済みの場合及び未視聴でも選択手段を用いて削除を選択した場合、該当の番組ファイルが各ハードディスクレコーダから削除される。従って、ハードディスクに格納されている複数の番組ファイルを削除するときに、ユーザが、削除したい番組ファイルが格納されているハードディスクを探す処理や、削除したい番組ファイルを一つずつ選択して削除する処理を不要にして、番組ファイルの削除を行う際の操作性の向上を図ることができる。
【００１０】
請求項２の発明によれば、ユーザが、選択手段を用いて、削除する番組ファイルのテーマ又は／及び削除の有無を選択すると、選択されたテーマを有する番組ファイルが、全てのハードディスクレコーダから読み込まれ、読み込まれた番組ファイルのデータからリストが作成される。そして、このリスト中の各番組ファイルが、これらの番組ファイルが格納されている各ハードディスクレコーダから削除される。従って、ハードディスクに格納されている複数の番組ファイルを削除するときに、ユーザが、削除したい番組ファイルが格納されているハードディスクを探す処理や、削除したい番組ファイルを一つずつ選択して削除する処理を不要にして、番組ファイルの削除を行う際の操作性の向上を図ることができる。
【００１１】
請求項３の発明によれば、上記請求項１と同様の効果を得ることができる。
【発明を実施するための最良の形態】
【００１２】
以下、本発明の一実施形態について図面を参照して説明する。本発明は、ＩＥＥＥ１３９４シリアルバスを介してハードディスクレコーダに接続されるコントローラ機器に関するものである。以下の実施形態では、本発明をセットトップボックスに適用した場合の例について説明する。なお、以下に記載した実施形態は、本発明を網羅するものではなく、本発明は、下記の形態だけに限定されない。
【００１３】
図１は、セットトップボックスと、このセットトップボックスに接続された３つのＡＶＨＤＤ及びＤＴＶ（digital television）の外観を示す。セットトップボックス（以下、ＳＴＢという）１は、受信した放送信号の中からユーザにより選択されたチャンネルの放送信号を出力するものである。ＡＶＨＤＤ２ａ，２ｂ，２ｃは、ＩＥＥＥ１３９４用の制御コマンドによってのみ録画、再生、及び削除を行うことが可能なタイプのハードディスクレコーダである。ＤＴＶ３のモニタ５（表示手段）は、ＡＶＨＤＤ２ａ、２ｂ、２ｃに格納されている番組ファイルのリスト等の表示に用いられる。また、図１に示されるように、ＳＴＢ１の前面側には、各種のメッセージ等の表示を行うための表示部１６が設けられている。また、ＳＴＢ１とＤＴＶ３との間、ＤＴＶ３とＡＶＨＤＤ２ａとの間、ＡＶＨＤＤ２ａとＡＶＨＤＤ２ｂとの間、及びＡＶＨＤＤ２ｂとＡＶＨＤＤ２ｃとの間は、ＩＥＥＥ１３９４シリアルバスケーブル４を用いて接続されている。すなわち、ＳＴＢ１とＤＴＶ３とＡＶＨＤＤ２ａ，２ｂ，２ｃとは、デイジーチェーン方式で接続されている。本実施形態では、ＡＶＨＤＤ２ａ，２ｂ，２ｃは、ＳＴＢ１から送信されたＩＥＥＥ１３９４用の制御コマンドによってのみ録画、再生、及び削除等の処理を行うことができる。
【００１４】
次に、図２を参照して、上記のＳＴＢ１とＡＶＨＤＤ２ａ，２ｂ，２ｃの電気的ブロック構成について説明する。図中のＡＶＨＤＤ２は、ＡＶＨＤＤ２ａ，２ｂ，２ｃの総称である。ＳＴＢ１は、装置全体の制御を行うマイクロプロセッサ１１（請求項における削除制御手段、検索手段、リスト作成手段、視聴判断手段）を備えている。このマイクロプロセッサ１１には、上記の表示部１６に加えて、チューナ１２、復調部１３、ＩＥＥＥ１３９４インタフェース１４（以下、インタフェースと略す）、赤外線信号受信部１５、ＲＡＭ１７及びＲＯＭ１８が接続されている。
【００１５】
上記のチューナ１２は、アンテナ１０で受信した放送信号の中からユーザにより選択されたチャンネルの放送信号を抽出する。復調部１３は、チューナ１２で抽出された放送信号に対して放送方式に応じた復調を行う。インタフェース１４は、ＩＥＥＥ１３９４シリアルバス４０（以下、バスと略す）上の他の装置との間でデータを送受信するためのインタフェース用の回路であり、ＡＶＨＤＤ２及びＤＴＶ３（図１参照）との間でバス４０を介してデータを送受信する。赤外線信号受信部１５は、リモコン２０（選択手段）から送信された赤外線信号形式の指示信号を受信し、その指示信号を通常のデジタル信号に変換してマイクロプロセッサ１１に送る。ＲＡＭ１７は、ＡＶＨＤＤ２に格納されている番組ファイルのリスト等のデータを一時的に格納する。ＲＯＭ１８は、各種のメニューや制御用のプログラムを格納する。
【００１６】
リモコン２０は、各種のキーからなるキー部２４と赤外線信号発信部２１とを有している。キー部２４には、電源キー２３、数字入力用のキー２５、カーソルキー２６、確定キー２７に加えて、各種メニューを表示するためのメニューキー２２が配設されている。リモコン２０内の各キーは、各種メニュー画面を用いた選択操作、ＤＴＶ３のモニタ５に表示された削除したいテーマを選択する操作、又は番組ファイルのリストの中から削除したい番組ファイルを選択する操作等に用いられる。
【００１７】
また、上記のＡＶＨＤＤ２は、装置全体の制御を行うマイクロプロセッサ３１と、このマイクロプロセッサ３１の制御用のプログラムを格納するＲＯＭ３０と、バス４０を介してＳＴＢ１等から制御コマンドやストリームデータ等のデータを受信するためのＩＥＥＥ１３９４インタフェース３３（以下、インタフェースと略す）とを有している。また、ＡＶＨＤＤ２は、記録媒体である複数枚のハードディスク３５と、これらのハードディスク３５に対してデータの記録・読取を行う複数の磁気ヘッド３６と、磁気ヘッド３６を駆動するヘッド駆動部３４と、記録するデータ又は読み出したデータを一時的に保存するバッファメモリ３２とを備えている。
【００１８】
次に、図３のフローチャートに加えて、図４乃至図６を参照して、ＡＶＨＤＤ２ａ，２ｂ，２ｃに格納されている番組ファイルのうち、同じテーマの番組ファイルを削除する処理について説明する。ユーザが、リモコン２０を用いて、図４に示される削除設定画面５０をＤＴＶ３のモニタ５上に表示して、同一テーマ削除ボタン５１を選択すると、ＳＴＢ１側のマイクロプロセッサ１１は、図５に示されるように、番組ファイルのテーマ選択画面６０を、ＤＴＶ３のモニタ５上に表示して、削除したいテーマを選択するようユーザに促す。
【００１９】
例えば、ジャンルがドラマである番組ファイルを削除したいテーマとして選択する場合、ユーザは、リモコン２０を用いて、ジャンルのドラマを選択すると（Ｓ１）、ＳＴＢ１側のマイクロプロセッサ１１は、ＳＴＢ１に接続されている全てのＡＶＨＤＤ２ａ，２ｂ，２ｃを確認して（Ｓ２）、これら全てのＡＶＨＤＤ２ａ，２ｂ，２ｃに格納されている番組ファイルの中から、上記Ｓ１の処理で選択されたテーマと同一のテーマを持つ番組ファイルを全て検索する（Ｓ３）。この結果、同一のテーマを持つ番組ファイルが見つかった場合には（Ｓ４でＹＥＳ）、ＳＴＢ１側のマイクロプロセッサ１１は、これら同一のテーマを持つ番組ファイルのリスト（図６に示される同一のテーマを持つファイルリスト７０）を作成して（Ｓ５）、ＲＡＭ１７に記憶する。同一のテーマを持つ番組ファイルが見つからなかった場合（Ｓ４でＮＯ）は、以降の処理を行わないで、当処理を終了する。
【００２０】
次に、上述した同一のテーマを持つファイルリスト７０の各レコード７９に含まれるデータについて説明する。同一のジャンルを持つファイルリスト７０の各レコード７９には、番組ファイルの削除の有無７１、番組ファイルの格納先である各ＡＶＨＤＤ２ａ，２ｂ，２ｃに固有のＩＤ（削除対象ＧＵＩＤ）７２、リスト番号（各ＡＶＨＤＤ２ａ，２ｂ，２ｃに格納されている番組ファイルの番号）７３、番組ファイルの録画時間７４、番組ファイルの録画（開始）日７５、番組ファイルの録画開始時刻７６、番組ファイルのジャンル７７、番組ファイルの視聴の有無７８等のデータが含まれている。
【００２１】
上記の同一のテーマを持つファイルリスト７０の作成処理が終わると、ＳＴＢ１側のマイクロプロセッサ１１は、同一のテーマを持つファイルリスト７０をＤＴＶ３のモニタ５上に表示する（Ｓ６）。そして、ユーザが、リモコン２０を用いて、未視聴の場合でも削除するか否か選択する（Ｓ７）。なお、本実施形態では、視聴済みの番組ファイルについては削除し、未視聴の番組ファイルについては、ユーザが削除するか否か選択するものとしている。しかし、これに限られるものではなく、未視聴の番組ファイルについては、削除しないようにしてもよい。また、視聴済みの番組ファイルであっても、ロック処理されている番組ファイルについては、削除しないようにしてもよい。
【００２２】
次に、ＳＴＢ１側のマイクロプロセッサ１１は、各ＡＶＨＤＤ２ａ，２ｂ，２ｃに格納されている番組ファイルから削除を行う番組ファイルの検索を行い（Ｓ８）、当該番組ファイルの削除を行う（Ｓ９）。そして、削除を行う番組ファイルがなくなった場合（Ｓ１０でＹＥＳ）、当処理を終える。一方、削除を行う番組ファイルが残っている場合（Ｓ１０でＮＯ）は、Ｓ８及びＳ９の処理を再度行う。
【００２３】
上記のように、本実施形態のＳＴＢ１によれば、ユーザが、リモコン２０を用いて、削除したいテーマを選択するだけで、ＳＴＢ１は、全ての各ＡＶＨＤＤ２ａ，２ｂ，２ｃを読み込み、選択されたテーマと同一のテーマを有する番組ファイルを検索して、この検索結果のリスト７０を作成して表示する。そして、ユーザが、リモコン２０を用いて、削除を行う番組ファイルを選択すると、ＳＴＢ１は、削除を行うように選択された番組ファイルを全て削除することができる。従って、ＡＶＨＤＤ２に格納されている複数の番組ファイルを削除するときに、ユーザが、削除したい番組ファイルが格納されているＡＶＨＤＤ２を探す処理や、削除したい番組ファイルを一つずつ選択して削除する処理を不要にして、番組ファイルの削除を行う際の操作性の向上を図ることができる。
【００２４】
なお、本発明は、上記実施形態に限られるものではなく、様々な変形が可能である。例えば、上記の実施形態では、テーマとしてジャンルのドラマを選択したが、これに限られるものではなく、例えば、チャンネルの２、曜日の月曜日、又は開始時間の８：００等、ＡＶＨＤＤ２に格納されている各番組ファイルが共通して有するデータをテーマとして選択してもよい。
【００２５】
また、上記の実施形態では、ユーザが選択したテーマと同一テーマを有する番組ファイルを削除する処理を示したが、これに限られるものではなく、例えば、ユーザが選択したテーマ以外を有する番組ファイルの削除を行うものであってもよい。
【００２６】
また、上記の実施形態では、本発明をＳＴＢ１に適用した場合の例を示したが、本発明の適用対象はこれに限られず、ディジタルテレビジョン受像機、ＤＶＤレコーダ、ハードディスクレコーダ等の他のコントローラ機器であってもよい。また、上記の実施形態では、ＩＥＥＥ１３９４シリアルバス４０を介してＳＴＢ１と接続されるハードディスクレコーダがＡＶＨＤＤである場合の例を示したが、ＳＴＢと接続されるハードディスクレコーダの種類は、これに限られず、一般のハードディスクレコーダであってもよい。さらにまた、上記の実施形態では、ＩＥＥＥ１３９４シリアルバス４０を介してＳＴＢ１と接続されるＡＶＨＤＤの数は３つであったが、ＳＴＢと接続されるＡＶＨＤＤの台数は、これに限られず、２つであってもよいし、４つ以上であってもよい。
【図面の簡単な説明】
【００２７】
【図１】本発明の一実施形態に係るセットトップボックスと、このセットトップボックスに接続されたＡＶＨＤＤ及びＤＴＶの外観を示す斜視図。
【図２】上記セットトップボックスとＡＶＨＤＤの電気的ブロック構成図。
【図３】上記セットトップボックスにおける同一テーマを有する番組ファイルの削除処理を示すフローチャート。
【図４】上記削除処理の指示用のメニューを示す図。
【図５】上記削除処理の対象となるテーマの選択用の画面を示す図。
【図６】上記削除処理において作成されるファイルのリストを示す図。
【符号の説明】
【００２８】
１  ＳＴＢ（セットトップボックス、コントローラ機器）
２  ＡＶＨＤＤ（ハードディスクレコーダ）
２ａ  ＡＶＨＤＤ（ハードディスクレコーダ）
２ｂ  ＡＶＨＤＤ（ハードディスクレコーダ）
２ｃ  ＡＶＨＤＤ（ハードディスクレコーダ）
３  ＤＴＶ
４  ＩＥＥＥ１３９４シリアルバスケーブル
５  モニタ（表示手段）
１０  アンテナ
１１  マイクロプロセッサ（削除制御手段、検索手段、リスト作成手段、視聴判断手段）
１４  インタフェース（ＩＥＥＥ１３９４インタフェース）
２０  リモコン（選択手段）
４０  バス（ＩＥＥＥ１３９４シリアルバス）
６０  テーマ選択画面
７０  同一テーマを持つファイルリスト
【図１】
2007053701.tif 000003
【図２】
2007053701.tif 000004
【図３】
2007053701.tif 000005
【図４】
2007053701.tif 000006
【図５】
2007053701.tif 000007
【図６】
2007053701.tif 000008